(57)【特許請求の範囲】
【請求項１】
所定の利用者のみに接続が許されたサーバと、前記サーバに通信回線を介して接続される情報表示装置を有し、
前記利用者には固有識別子が付与され、
前記サーバには、前記固有識別子に関連付けされたステータス情報を含めた、前記利用者の帰属する団体が収集した道路現場データが蓄積され、
前記情報表示装置は、前記道路現場データが収集された収集地点を含む地図に、前記地図上における前記収集地点と一致する位置に情報の存在を示す標識を、前記利用者の全てに対し選択可能な状態で重ねて表示し、前記標識が選択されたとき、前記標識に付帯し、前記ステータス情報が前記利用者の前記固有識別子に対して表示可能とされている前記道路現場データを、画像データ表示部、テキストデータ表示部、及び、周辺地図表示部を有する詳細データ表示画面で表示し、
前記標識の表示形式が、付帯されている前記道路現場データの内容に対応していることを特徴とする道路現場状況報告システム。
【請求項２】
前記サーバに蓄積される前記道路現場データには、災害発生時の対応に必要な災害対応用データが含まれ、前記災害対応用データの情報ステータスは災害発生時に表示可能とされる請求項１に記載の道路現場状況報告システム。
【請求項３】
前記情報表示装置は、前記標識に付帯されないデータを表示するためのリンクを表示する請求項１又は２に記載の道路現場状況報告システム。
【請求項４】
通信手段と、位置情報取得手段と、撮像手段と、入力手段を備え、前記サーバに通信回線によって接続される情報収集端末装置を有し、前記道路現場データは、前記撮像手段を介して得た前記収集地点の画像データと、前記入力手段を介して得た前記画像データに関するテキストデータが、前記位置情報取得手段を介して得た前記収集地点の位置データと併せて所定の形式とされ、前記通信手段と前記通信回線を介して前記サーバに送信される請求項１、２又は３に記載の道路現場状況報告システム。
【発明の詳細な説明】
【技術分野】
【０００１】
本発明は、複数の組織で各々収集した道路現場状況の情報を、複数の組織で共有化するための道路現場状況報告システムに関するものである。
【背景技術】
【０００２】
風雨に曝され、更に、車両の走行により繰り返し荷重を受ける道路は、その機能を維持するために、適切な補修が必要となる。しかしながら、補修が必要となる時期は、道路が敷設された環境や交通量に依存するため、建設年数等の建設情報から単純に推測することは難しい。また、災害時には、土砂崩れなどにより突然使用できない状況となる場合がある。そこで、道路を管理する団体では、道路現場状況の日常点検が行われている。
【０００３】
ところが、道路を管理する団体は複数存在し、一本の道路が、区間毎に異なる団体により維持管理されている場合もある。そこで、隣接する道路を管理する複数の道路管理団体の間で道路関連情報を共有化するシステムが提案されており、更に、そのシステムの問題を改善する手法も提案されている。
【０００４】
例えば、特開２００３−２７２０８２号公報には、共有化した道路関連情報から道路の利用の障害となる障害情報を抽出して道路管理者に対して出力することで、共有化した道路関連情報を有効に活用するための道路情報管理システムが開示されている。
【０００５】
一方、道路周辺の現場状況は、道路管理団体とは別の団体により調査されている場合がある。そのような道路周辺の情報も、道路を管理するうえで有用なものとなり得るが、異なる団体により収集された情報では、位置を特定する方法が異なり、利用できない場合がある。そこで、特開２００２−１２３５２２号公報には、異業種間で属性の異なる情報を共有できる情報共有化システムが開示されている。
【０００６】
上記情報共有化システムは、情報の入力手段、情報の表示手段、情報の記憶手段、及び、これら各手段の動作を制御する処理手段を備える。そして、処理手段が、画像表示領域内における画像情報にかかる属性情報を、その属性情報を付与する点または領域のポインタ情報に対応する公共座標データと関連付けて記憶する。そのため、属性情報が付与される点または領域を情報共有化に最適な公共座標に基づき特定することができ、地理的パラメータにより特定される属性情報について、異業界間での共有化を図ることができる。
【先行技術文献】
【特許文献】
【０００７】
【特許文献１】特開２００３−２７２０８２号公報
【特許文献２】特開２００２−１２３５２２号公報
【発明の開示】
【発明が解決しようとする課題】
【０００８】
異なる組織の間で情報を共有化するための従来のシステムでは、異なる組織によるデータの使用を可能とするために、データの蓄積や抽出の手法、或いはデータ形式の共通化に主眼がおかれているものが多かった。
【０００９】
しかしながら、各組織で既存のシステムを使用する場合、データベースに蓄積されたデータを使用するために、システム毎に個別の処理が必要となる。そのため、数字や文字を列挙した表形式にせざるを得ない場合もあり、データの意味を解析する時間等が必要となり、非常時に迅速な対応が必要なときの使用が難しい場合があった。
【００１０】
また、異なる組織の間でデータベースを共有した場合、データベースには大量のデータが蓄積されることになる。しかも、それらのデータには、特定の組織には有用であっても他の組織には無用となるもの、或いは、広く開示することでデータを提供した組織や第三者に不利益となるものなども含まれる。そのため、異なる組織の間でデータベースを共有するためには、データの振り分けが必要となり、そのための手間や時間が必要になり、複雑な処理を必要とする場合もあった。
【００１１】
そこで、本発明は、異なる組織の間で道路現場状況の情報を共有することができ、かつ、必要な情報を、情報提供者や第三者に不利益を生じさせることなく、容易に理解できる形式で表示できる道路現場状況報告システムを提供することを目的とする。
【課題を解決するための手段】
【００１２】
本発明に係る道路現場状況報告システムは、所定の利用者のみに接続が許されたサーバと、前記サーバに通信回線で接続される情報表示装置を有する。
【００１３】
前記利用者には固有識別子が付与され、前記サーバには、前記固有識別子に関連付けされたステータス情報を含めた、前記利用者の帰属する団体が収集した道路現場データが蓄積される。
【００１４】
前記情報表示装置は、前記道路現場データが収集された収集地点を含む地図に、前記地図上における前記収集地点と一致する位置に情報の存在を示す標識を、前記利用者の全てに対し選択可能な状態で重ねて表示する。そして、前記標識が選択されたとき、前記標識に付帯し、前記ステータス情報が前記利用者の前記固有識別子に対して表示可能とされている前記道路現場データを、画像データ表示部、テキストデータ表示部、及び、周辺地図表示部を有する詳細データ表示画面で表示する。
【００１５】
前記標識の表示形式は、付帯している前記道路現場データの内容に対応している。
【００１６】
前記サーバに蓄積される前記道路現場データには、災害発生時の対応に必要な災害対応用データが含まれ、前記災害対応用データの情報ステータスは災害発生時に表示可能とされるものであってもよい。
【００１７】
前記情報表示装置は、前記標識に付帯されないデータを表示するためのリンクを表示するものであってもよい。
【００１８】
本発明に係る道路現場状況報告システムは、通信手段と、位置情報取得手段と、撮像手段と、入力手段を備え、前記サーバに通信回線によって接続される情報収集端末装置を有するものであってもよい。
【００１９】
情報収集端末装置を有するものである場合、前記道路現場データは、前記撮像手段を介して得た前記収集地点の画像データと、前記入力手段を介して得た前記画像データに関するテキストデータが、前記位置情報取得手段を介して得た前記収集地点の位置データと併せて所定の形式とされ、前記通信手段と前記通信回線を介して前記サーバに送信されてもよい。
【発明の効果】
【００２０】
本発明に係る道路現場状況報告システムでは、道路現場データが収集された収集地点を含む地図に、情報の存在を示す標識が、利用者の全てに対し選択可能な状態で重ねて表示されるため、利用者は、道路現場データの有無を瞬時に認識することができる。そして、標識が選択されたとき、標識に付帯する道路現場データが表示されるので、必要な情報を、容易に理解できる形式で表示することができる。
【００２１】
更に、標識が選択されたときに表示される道路現場データは、ステータス情報が、利用者の固有識別子に対して表示可能とされているもののみとなるため、情報提供者や第三者に不利益を生じさせる虞のある情報が表示されることを防止できる。また、表示される内容を、利用者に応じて予め決めておくことが可能となり、データの表示形式を、利用者により理解し易いものにできる。
【００２２】
また、標識の表示形式が、付帯している道路現場データの内容に対応しているものであれば、標識の表示のみでも利用者に情報を伝えることが可能となり、利用者にとって更に理解し易いものにできる。
【００２３】
更に、サーバに蓄積される道路現場データには、災害発生時の対応に必要な災害対応用データが含まれ、災害対応用データの情報ステータスは災害発生時に表示可能とされるものであれば、日常業務と災害対策のどちらの用途にも使用することができる。そして、災害対策用として使用する場合にも、利用者にとっては日常業務用として使い慣れたものとなり、必要な情報を迅速に得ることができる。すなわち、災害発生時にも、必要な情報を容易に理解できる形式で表示することが可能となる。
【００２４】
更にまた、情報表示装置は、標識に付帯されないデータを表示するためのリンクを表示するものであれば、より多くの情報を表示することが可能となり、必要な情報を更に容易に理解できる形式で表示することが可能となる。
【００２５】
更にまた、情報収集端末装置を有するものであれば、情報収集端末装置を使用して得た現場の画像データと画像データに関するテキストデータを、通信回線を利用してサーバに送信するのみで、現場の情報をサーバに蓄積できる。また、画像データとテキストデータは、位置データと併せて所定の形式で送信され、しかも、位置データは情報収集端末装置の位置情報取得手段で取得されるため、共有化のための特別な加工を必要としない。従って、情報の共有化をより簡単に行うことができ、システムの適用範囲を広げることができる。
【図面の簡単な説明】
【００２６】
【図１】本発明に係る道路現場状況報告システムの実施形態の全体構成を示すブロック図である。
【図２】道路現場データが収集された収集地点を含む地図に、情報の存在を示す標識を重ねて表示した画面である。
【図３】標識の選択により表示される詳細データ表示画面を示す図である。
【図４】情報収集端末装置に表示される操作画面を示し、（ａ）は操作画面のうち画像データの取得操作を行うための部分を示す図、（ｂ）は操作画面のうち情報収集作業が行われている現場に関する情報が表示される部分を示す図、（ｃ）は操作画面のうち情報収集作業を行なっている作業者が、道路現場に関するコメントの入力操作を行うための部分を示す図である。
【発明を実施するための形態】
【００２７】
図１〜４を参照しながら、本発明に係る道路現場状況報告システムの実施形態について説明する。
この道路現場状況報告システムは、道路の維持管理を行う団体及び道路を利用する公共団体の間で、道路に関する情報を共有化するものである。図１に示すように、通信回線５によって接続されるサーバ１、情報表示装置２、及び、情報収集端末装置３を有する。なお、図１においては、図示の便宜上、情報表示装置２が４つ、情報収集端末装置３が３つ示されているが、これら装置の数に制限はない。
【００２８】
通信回線５には、インターネット回線が利用されている。ただし、必要なデータ通信を行うことができるものであれば制限はなく、例えば、専用回線を設けてもよい。
【００２９】
サーバ１は、公知の演算処理装置であり、道路現場から離れた施設に配備され、道路現場状況報告システムを利用する団体が収集した道路現場データが蓄積される。
【００３０】
また、サーバ１には、蓄積されたデータを利用者に提供するための演算処理を行う専用のソフトウェアがインストールされている。そして、情報表示装置２を介してサーバ１にアクセスした利用者に、所定の固有識別子（アクセス用ＩＤコード）が付与されていることが確認された場合には、道路現場データを抽出し表示する操作を行うためのデータを情報表示装置２に提供する。
【００３１】
情報表示装置２も、また、公知の演算処理装置であり、サーバ１から取得したデータに基づき、道路現場データを抽出し表示する操作を行うための操作画像２０を表示する。
【００３２】
操作画面２０の一例を図２に示す。操作画面２０には、道路現場データが収集された収集地点を含む地図２１が表示される。更に、地図２１の上には、道路現場データの収集作業が実施された収集地点と一致する位置に、情報の存在を示す標識２２が、地図２１の表示の上に重ねて表示されている。
【００３３】
標識２２は、サーバ１へのアクセスが許諾されている利用者の全てに対し選択可能な状態で表示されている。そして、利用者が所望の標識２２を選択すると、標識２２に付帯している道路現場データを表示する詳細データ表示画面２３が表示される。
【００３４】
詳細データ表示画面２３の一例を図３に示す。この詳細データ表示画面２３は、画像データ表示部２４、テキストデータ表示部２５、及び、周辺地図表示部２６を有している。そして、道路現場データとして、現場の画像データ、画像データに関するコメント、及び、道路現場データの収集作業が行われた収集地点の周辺地形が表示されるものとなっている。
【００３５】
なお、図３に示す詳細データ表示画面２３は、利用者が道路管理担当者である場合に表示されるものであり、その利用者の固有識別子に関連付けされたステータス情報が表示可能とされているデータのみが表示されている。従って、例えば、利用者が道路設計技術者である場合には、ステータス情報が、道路設計技術者の固有識別子が付与された利用者に表示可能とされているデータ（道路の設計データなど）のみが表示される。
【００３６】
ただし、ステータス情報は適宜変更が可能とされており、例えば、広く公表することが禁止されているデータであっても、時間の経過とともに公表することが適当と判断されれば、表示可能とする固有識別子の範囲を広げることが可能となっている。なお、表示可能とする固有識別子の範囲を広げた場合、より多くの利用者に対しデータが表示されることになる。
【００３７】
ステータス情報は、また、固有識別子毎の表示の可否を決める他、状況毎に表示の可否を決めるものとなっている。具体的には、例えば、地震等の災害発生時に必要となるデータのステータス情報は、災害発生時のステータスが有効とされた場合にのみ表示されるものとなっている。そのため、日常の点検業務を行う際に利用する場合は、それに必要なデータのみが表示されるが、災害発生時には、災害対応に必要となるデータのみが表示される。従って、この道路現場状況報告システムは、日常業務と災害対策のどちらの用途にも使用することができる。
【００３８】
標識２２は、付帯されている道路現場データの内容に対応する表示形式となっている。具体的には、例えば、道路現場データが道路の破損状況を示すもので、その道路が通行止め状態となっている情報を含むものであれば、標識２２の表示形式は、通行止めを意味する×印となる。そのため、利用者は、その表示形式のみでも、その地点の大まかな状況を把握できるものとなっている。
【００３９】
操作画面２０は、また、リンク表示部２７を備えている。リンク表示部２７には、標識に付帯されないデータを表示するためのリンクが集められており、それらのリンクを選択することで道路現場データ以外の関連情報を得ることが可能となっている。なお、関連情報とは、例えば、行政機関のホームページ、法令、ガイドラインであるが、その内容に制限はなく、利用者の便宜にあわせ適宜設定することができる。
【００４０】
情報収集端末装置３は、公知のスマートフォンであり、道路現場に関する情報を、道路現場で収集し、その場でサーバ１に送信するためのものである。スマートフォンに搭載されたカメラが本発明の撮像手段に、スマートフォンに搭載されたＧＰＳが本発明の位置情報取得手段に、スマートフォンに搭載されたマイクが本発明の入力手段に、それぞれ相当するものとなっている。
【００４１】
なお、情報収集端末装置３はスマートフォンに限定されず、公知のモバイル端末やノート型ＰＣを利用してもよい。或いは、公知のユニットを組み合わせてできる小型の演算処理装置を専用機として使用してもよい。
【００４２】
情報収集端末装置３には、道路現場で情報を収集しサーバ１に送信するための処理を行う専用ソフトウェアがインストールされている。そして、情報を収集しサーバ１に送信する処理を行うための操作画面３０が表示され、操作者は、この操作画面３０を介して必要な情報の収集と送信を行うものとなっている。
【００４３】
情報収集端末装置３の操作画面３０の一例を図４に示す。なお、図４（ａ）、図４（ｂ）、及び図４（ｃ）に示す画面は全て連続しているが、スマートフォンの表示画面の長さ寸法よりも長く、全部を一度に表示させることはできない。そのため、スクロール操作して作業に必要な部分を表示させ、使用するものとなっている。
【００４４】
図４（ａ）に示す部分画像３０ａは、操作画面３０のうち画像データの取得操作を行うための部分である。撮影ボタン３１を選択することにより、カメラを起動させることができる。カメラ撮影により取得された画像データは、取り込まれ、撮影ボタン３１に替えて表示される。なお、この実施形態では、１度に４つまでの画像データを取り込むことが可能とされているが、その数に制限はなく、通信や記憶容量の問題が生じない範囲で適切な数にしてもよい。
【００４５】
図４（ｂ）に示す部分画像３０ｂは、操作画面のうち点検作業が行われている現場に関する情報が表示される部分である。現場に関する情報として、位置情報取得手段で取得した位置データと、その位置データに基づき通信手段及び通信回線５を介してサーバ１から得た諸元データが表示される。
【００４６】
この実施形態において、諸元データは、内容に応じて、諸元区分、諸元対象、大項目、中項目、小項目で構成される。なお、表示画面には、全てのデータを一度に表示することができないため、中項目と小項目は、図４（ｃ）に示す部分画像３０ｃに表示されている。
【００４７】
図４（ｃ）に示す部分画像３０ｃは、操作画面のうち操作者が道路現場に関するコメントの入力操作を行うための部分である。コメントボタン３２を選択することにより、入力手段を起動し音声入力が可能な状態にすることができる。音声入力データはテキストデータに変換され、コメント欄に表示される。
【００４８】
操作画面３０の最下部には、送受信用のコマンドボタン３３が表示されている。画像データとテキストデータの取り込み作業が完了したときに、コマンドボタン３３を選択することにより、画像データとテキストデータを位置データと併せて所定の形式のデータとし、通信手段及び通信回線５を介してサーバ１に送信することができる。
【００４９】
なお、道路現場データは、情報収集端末装置３によることなく、ＰＣ等の公知の演算処理装置でサーバ１にアクセスしアップロードすることとしてもよい。
【符号の説明】
【００５０】
１    サーバ
２    情報表示装置
３    情報収集端末装置
５    通信回線
２０、３０  操作画面
２１  地図
２２  標識
２３  詳細データ表示画面
２４  画像データ表示部
２５  テキストデータ表示部
２６  周辺地図表示部
２７  リンク表示部
３０ａ、３０ｂ、３０ｃ  操作画面の部分画面
３１  撮影ボタン
３２  コメントボタン
３３  コマンドボタン
【図１】
0006512788.tif 000002
【図２】
0006512788.tif 000003
【図３】
0006512788.tif 000004
【図４】
0006512788.tif 000005